【事件の表示】
　特願２０１７−１２３３４４号「気密封止されたＬＥＤ灯、及び、気密封止されたＬＥＤ灯の製造方法」拒絶査定不服審判事件〔平成２９年　９月１４日出願公開、特開２０１７−１６２８４３号〕について、次のとおり審決する。
【結　論】
　本件審判の請求は、成り立たない。
【理　由】
第１　手続の経緯
　本願は、平成２８年３月４日（パリ条約による優先権主張　２０１５年３月６日、２０１５年３月１０日、いずれもドイツ（ＤＥ））を出願日とする特願２０１６−４２３３１号（以下「原出願」という。）の一部を平成２９年６月２３日に新たな特許出願としたものであって、令和１年１２月２０日付けで拒絶理由が通知され、令和２年４月７日に意見書及び手続補正書が提出され、同年６月２４日付けで拒絶査定（以下「原査定」という。）がされ、同年１０月３０日に拒絶査定不服審判が請求されると同時に手続補正書が提出されたものである。
　　　　　　 
第２　令和２年１０月３０日付けの手続補正についての補正の却下の決定
［補正の却下の決定の結論］ 
　令和２年１０月３０日付けの手続補正を却下する。
　　　　　 
［理由］ 
１　補正の内容
　令和２年１０月３０日付けの手続補正（以下「本件補正」という。）は、特許請求の範囲を補正するものであって、請求項４について補正前後の記載を補正箇所に下線を付して示すと以下のとおりである。
　　　　　
（１）補正前の請求項４
「【請求項４】
　気密封止されたＬＥＤ灯であって、
　セラミックからなるベースと、前記ベース上の少なくとも１つのＬＥＤと、少なくとも１つの窓を有し且つ前記ベースに金属はんだではんだ付けされた少なくとも１つの金属キャップと、を含み、
　前記金属はんだは、金錫はんだである、
気密封止されたＬＥＤ灯。」
（２）補正後の請求項４
「【請求項４】
　気密封止された
オートクレーブ可能な
　セラミックからなるベースと、前記ベース上の少なくとも１つのＬＥＤと、少なくとも１つの窓を有し且つ前記ベースに金属はんだではんだ付けされた少なくとも１つの金属キャップと、を含み、
　前記金属はんだは、金錫はんだであ
り、
　
前記金属キャップは、ステンレス鋼から形成されている、
気密封止されたＬＥＤ灯。」
　　　　　
２　補正の適否
２−１　補正の目的
　本件補正に係る請求項４の補正は、補正前の請求項４に記載された「ＬＥＤ灯」について、「オートクレーブ可能な」構成であることの限定を付し、さらに、「金属キャップ」について、「ステンレス鋼から形成されている」との限定を付すものであって、補正前の請求項４に記載された発明と補正後の請求項４に記載される発明の産業上の利用分野及び解決しようとする課題が同一であるから、特許法第１７条の２第５項第２号に掲げられた特許請求の範囲の減縮を目的とするものに該当する。
　そこで、本件補正後の請求項４に記載された事項により特定される発明（以下「本願補正発明」という。）が、同条第６項において準用する同法第１２６条第７項の規定に適合するか（特許出願の際独立して特許を受けることができるものであるか）について、以下検討する。
２−２　独立特許要件
（１）引用文献の記載事項等
（１−１）引用文献１の記載事項等
（１−１−１）引用文献１の記載事項
　原査定の拒絶の理由に引用文献１として引用され、本願の原出願の優先日前に頒布された特表２０１４−５２０６４０号公報（以下「引用文献１」という。）には、以下の事項が記載されている（下線は当審で付した。以下同様。）。
（１ａ）
「【０００１】
　
本発明は、
歯科医療用の器具用の
これらの器具の器具ヘッド用の照明手段であって
【背景技術】
【０００２】
　
医療用の、特に歯科医療用の器具用の照明手段
該照明手段は、光を照射する窓を備えた金属製キャップと該金属製キャップと溶接された金属製ソケットを包含し、キャップとソケットからカプセル化された内部空間を構成している。
このような照明手段の構造は、実績があり、カプセル化された内部空間に取り入れられた光学的半導体エレメントは、例えば、滅菌器内での器具の洗浄など腐食性の高い環境条件や汚れから保護されている。
・・・
【００６０】
　好ましくは、
少なくとも一つの半導体エレメント、照明手段のボディ内の、特に好ましくは、密封状態のチャンバー内に配置されることが好ましい。尚、該チャンバーは、粒子、及び/或いは、水蒸気、及び/或いは、流体が該チャンバー内へ滲入しないように密封状態であることが好ましい。特に、該チャンバーは、それが、幾度にもわたって洗浄工程、或いは、滅菌行程に耐え、即ち、該行程において使用される、例えば、洗剤や水蒸気などのメディアが該チャンバー内に滲入しないように密封状態とされることが好ましい。
・・・
【００７３】
　図1と図9に示されている医療用の、特に
歯科医療用の器具1
該器具1は、
グリップ部25と、これに続く器具ヘッド2を包含している。
・・・
【００７５】
　器具ヘッド2、特に好ましくは、
器具ヘッド2の工具用開口部26側の末端には、照明手段3, 3Aが設けられている。
・・・
【００７７】
　
照明手段3の該ボディ6
【００７８】
　
該ボディ6には、
半導体エレメント7が設けられている。該半導体エレメント7は、
発光ダイオード(LED)
として実施されている
・・・
【００８４】
　特に図4から明らかなように、少なくとも一つの
半導体エレメント7は、
密封状態の、チャンバー22内に収められている。
該チャンバー22は、該半導体エレメント7を、
粒子、流体、ガス、蒸気として存在する不純物から保護している。
【００８５】
　
該チャンバー22は、ボディ6のマントル面12内に配置されている。該チャンバー22、或いは、チャンバー22の内壁は、
照明手段3のボディ6が構成されている複数の層18,19から構成されている。
・・・
【００８７】
　
該照明手段3は更に、
光学的電磁線導体21を有している。
該電磁線導体21は、二つの末端21A,21Bを有している
該第一末端21Aは、
チャンバー22の境界の一部を形成
している。該電磁線導体21の第二末端21Bは、
電磁線アウトプット面8の少なくとも一部を成している。
該電磁線導体21は、
ガラス・エレメント
として形成されている
【００８８】
　特に図3,4,6と7は、照明手段3,3Aと3B、或いは、
ボディ6が、複数の層18,19から構成されている
該層18,19は、
ハンダ付け
により、互いに固くつながれている。
【００８９】
　図3と図4の
照明手段3は、
第一セラミック層18を有している。
【００９０】
　
該セラミック層18には、その中にチャンバー22の少なくとも一部を形成している少なくとも一つの穿孔が形成されている第二セラミック層18Aがつながれている。
穿孔の壁が、チャンバー22の内壁の一部を形成している。そしてこれに、第三の金属層19がつながれている。
（１ｂ）引用文献１には、以下の図が示されている。　
（１−１−２）認定事項
　引用文献１の摘示（１ａ）（１ｂ）より、以下の事項を認定することができる。
ア　歯科医療用の器具1における照明手段3であって、
　器具1は、グリップ部25と、これに続く器具ヘッド2を包含しており、
　器具ヘッド2の工具用開口部26側の末端に、照明手段3が設けられていること（段落【０００１】【００７３】、【００７５】）
イ　照明手段3のボディ6には、半導体エレメント7が設けられ、半導体エレメント7は、発光ダイオード(LED)として構成されていること（段落【００７７】、【００７８】）
ウ　半導体エレメント7は、密封状態の、チャンバー22内に収められており、チャンバー22は、半導体エレメント7を、粒子、流体、ガス、蒸気として存在する不純物から保護すること（段落【００８４】）
エ　チャンバー22は、ボディ6のマントル面12内に配置されており、チャンバー22、或いは、チャンバー22の内壁は、照明手段3のボディ6が構成されている複数の層18,19から構成されていること（段落【００８５】）
オ　層18,19は、ハンダ付けにより、互いに固くつながれており、
　層18は、第一セラミック層18として構成され、
　層19は、第三の金属層19として構成され、
　第一セラミック層18には、その中にチャンバー22の少なくとも一部を形成している少なくとも一つの穿孔が形成されている第二セラミック層18Aがつながれており、穿孔の壁が、チャンバー22の内壁の一部を形成しており、第二セラミック層18Aに、第三の金属層19がつながれていること（段落【００８８】〜【００９０】）
カ　照明手段3は更に、光学的電磁線導体21を有し、電磁線導体21は、二つの末端21A,21Bを有し、第一末端21Aは、チャンバー22の境界の一部を形成し、電磁線導体21の第二末端21Bは、電磁線アウトプット面8の少なくとも一部を成し、電磁線導体21は、ガラス・エレメントとして形成されていること（段落【００８７】）
（１−１−３）引用文献１に記載された発明
　以上によれば、引用文献１には、
「歯科医療用の器具1における照明手段3であって、
　器具1は、グリップ部25と、これに続く器具ヘッド2を包含しており、
　器具ヘッド2の工具用開口部26側の末端に、照明手段3が設けられており、
　照明手段3のボディ6には、半導体エレメント7が設けられ、半導体エレメント7は、発光ダイオード(LED)として構成され、
　半導体エレメント7は、密封状態の、チャンバー22内に収められており、チャンバー22は、半導体エレメント7を、粒子、流体、ガス、蒸気として存在する不純物から保護し、
　チャンバー22は、ボディ6のマントル面12内に配置されており、チャンバー22、或いは、チャンバー22の内壁は、照明手段3のボディ6が構成されている複数の層18,19から構成されており、
　層18,19は、ハンダ付けにより、互いに固くつながれており、
　層18は、第一セラミック層18として構成され、
　層19は、第三の金属層19として構成され、
　第一セラミック層18には、その中にチャンバー22の少なくとも一部を形成している少なくとも一つの穿孔が形成されている第二セラミック層18Aがつながれており、穿孔の壁が、チャンバー22の内壁の一部を形成しており、第二セラミック層18Aに、第三の金属層19がつながれており、
　照明手段3は更に、光学的電磁線導体21を有し、電磁線導体21は、二つの末端21A,21Bを有し、第一末端21Aは、チャンバー22の境界の一部を形成し、電磁線導体21の第二末端21Bは、電磁線アウトプット面8の少なくとも一部を成し、電磁線導体21は、ガラス・エレメントとして形成されている、
　歯科医療用の器具1における照明手段3。」の発明（以下「引用発明」という。）が記載されていると認められる。
（１−２）引用文献２の記載事項
　当審で新たに引用する、本願の原出願の優先日前に頒布された特開２０１５−３０２５号公報（以下「引用文献２」という。）には、以下の事項が記載されている。
（２ａ）「【０００２】
　
本発明は、
口腔および歯科用途に用いられ、歯科用途における光硬化性化合物を照明し、硬化させるために光を提供する照明デバイスに関する。
・・・
【０００５】
　
そのような歯科用ライトに関連する別の問題は、それらの滅菌である。
歯科用ライトの先端は、一般に、患者の口または口のどこかの部分に近接され、または実際に接触される。
したがって、患者間の細菌または感染の伝播を防止するために、歯科用器具は、しばしば、非常に高い温度でオートクレーブ処理されることなどによって、滅菌される。
・・・
【００１１】
　図1は、本発明の光デバイス10の一実施形態を示す。
光デバイス10の一実施形態は、
照明、
または他の治療用途などの他の用途も期待される。
硬化デバイス10は、ハウジング12、および、ハウジング12に取り外し可能に結合される先端構造体14を含む。
先端構造体14は、デバイス全体から別々にオートクレーブ処理され得るように、取り外され得る。
・・・
【００１４】
　先端構造体14は、先端構造体内を近位端部22から遠位端部24まで延在するヒートシンク構造体または要素32を含む。本発明の一実施形態では、図2および図2Aに示すように、ヒートシンク32は、硬化光デバイスからの熱の適切な熱伝達のために、ハウジング12と係合するように先端構造体14の近位端部22を越えて延在する。ヒートシンクは、金属(例えば、銅)またはアルミニウムなどの適切な熱伝導または熱伝導性材料から作られ得る。代替的に、熱分解グラファイトシート(PGS(登録商標))などの高熱伝導性材料が、ヒートシンク32のために使用され得る。一実施形態では、ヒートシンク32は、先端構造体14の内部に位置決めするために適切な形状で形成された細長い銅管である。適切な断熱材34が、ヒートシンク32を取り囲む。
先端構造体14は、本体36を含み、本体36は、先端構造体の要素を収容し
本体36は、本発明の一態様によるオートクレーブ処理可能な材料から作られる。上述したように、患者の口の内、またはその上、またはそれに近接して使用または挿入されるものなどの、特定の再使用可能な歯科用要素を滅菌することが望ましい。
本発明は、121℃を超えるような高温オートクレーブ処理に耐えることができ、したがって、内部の発光デバイスまたはエンジンを含む先端構造体全体も同様にオートクレーブ処理可能にするオートクレーブ処理可能な材料から作られたシール本体36内に封入された先端構造体を提供する。
【００１５】
　
本発明の一実施形態では、オートクレーブ処理可能な本体36は、ステンレス鋼などの適切な材料から作られる。
（１−３）引用文献３の記載事項
　原査定の拒絶の理由に引用文献２として引用され、本願の原出願の優先日前に頒布された特開２００７−２６６５６８号公報（以下「引用文献３」という。）には、以下の事項が記載されている。
（３ａ）「【０００１】
　
本発明は、発光素子や受光素子のような半導体素子を搭載する支持体およびそれを利用した半導体装置
耐熱性、放熱性および信頼性に優れる半導体装置に関する。
・・・
【００５６】
　このような
セラミックスを材料とする絶縁性基板同士あるいは導電性の板材との接合材として、
共晶半田（Ａｕ−Ｓｎ
を挙げることができる。
【００５７】
　
半導体素子あるいは半導体素子がフリップチップ実装されたサブマウントは、接着材により支持体に固定される。この接着材の材料は、
共晶半田（Ａｕ−Ｓｎ
を挙げることができる。
（１−４）引用文献４の記載事項
　当審で新たに引用する、本願の原出願の優先日前に頒布された特開２００６−２２３７６３号公報（以下「引用文献４」という。）には、以下の事項が記載されている。
（４ａ）「【０００１】
　
本発明は、挿入部の先端部に光学系を備える内視鏡に関する。
・・・
【００２４】
　図１に示すように、
内視鏡１は、
挿入部２
を備えている。
・・・
【００３１】
　図２に示すように、
挿入部２の先端部５の先端面２１には、
被検部位を照明する照明光学系２４の先端部分を覆うカバーレンズ２５
が露呈している。
【００３２】
　図３および図４に示すように、
先端部５は、
先端部本体３１を備え
・・・
【００３９】
　上述したような
先端部本体３１の先端側には、先端部カバー３２が例えば接着等により取り付けられている。この先端部カバー３２は、オートクレーブ耐性に優れた
素材として形成されており
・・・
【００４２】
　次に、図５を参照して、照明光学系２４の
カバーレンズ２５と、先端部本体３１と、先端部カバー３２と、の接続構造について説明する。
【００４３】
　
カバーレンズ２５は、
枠部材５１を介して、先端部カバー３２に取り付けられるようになっている。
・・・
【００４６】
　そして、
カバーレンズ２５と枠部材５１とは、半田５２を用いて、水密かつ気密となるように接合されている。ここに、半田５２としては、金錫半田（例えば、Ａｕ８０−Ｓｎ２０、あるいはＡｕ１０−Ｓｎ９０など）を用いている。
鉛を使用していない半田を用いることにより、環境等に配慮した構成となっている。
（２）対比
　本願補正発明と引用発明とを対比する。 
ア　引用発明において「照明手段3のボディ6には、半導体エレメント7が設けられ、半導体エレメント7は、発光ダイオード(LED)として構成され」ることから、上記「照明手段3」は、ＬＥＤ灯と位置づけ得るものである。
　また、引用発明において、「半導体エレメント7は、密封状態の、チャンバー22内に収められており、チャンバー22は、半導体エレメント7を、粒子、流体、ガス、蒸気として存在する不純物から保護」するように構成されているから、上記「照明手段３」は、気密封止された構造ということができる。
　したがって、引用発明の上記「照明手段3」と、本願補正発明の「気密封止されたオートクレーブ可能なＬＥＤ灯」とは、「気密封止されたＬＥＤ灯」の点で共通するものといえる。
イ　引用発明は、「チャンバー22は、ボディ6のマントル面12内に配置されており、チャンバー22、或いは、チャンバー22の内壁は、照明手段3のボディ6が構成されている複数の層18,19から構成されており」、「層18は、第一セラミック層18として構成され」、「第一セラミック層18には、その中にチャンバー22の少なくとも一部を形成している少なくとも一つの穿孔が形成されている第二セラミック層18Aがつながれており、穿孔の壁が、チャンバー22の内壁の一部を形成して」いるから、上記「第一セラミック層18」及び「第二セラミック層18A」は、それらが一体となって、「照明装置3」構成上の、セラミックからなるベースと位置づけ得るものである。
　したがって、引用発明の上記「第一セラミック層18」及び「第二セラミック層18A」は、本願補正発明の「セラミックからなるベース」に相当する。
ウ　引用発明は、「照明手段3のボディ6には、半導体エレメント7が設けられ、半導体エレメント7は、発光ダイオード(LED)として構成され」るものであるところ、上記「半導体エレメント7」は、引用文献１の図４（摘示（１ｂ））に示されるとおり、「チャンバー22、或いは、チャンバー22の内壁」を構成する「第一セラミック層18」に対して実装状態で配置されるものであって、上記「第一セラミック層18」上に配置されたものということもできるから、上記イをも踏まえると、本願補正発明の「前記ベース上の少なくとも１つのＬＥＤ」に相当するものといえる。
エ　引用発明は、「第一セラミック層18には、その中にチャンバー22の少なくとも一部を形成している少なくとも一つの穿孔が形成されている第二セラミック層18Aがつながれており、穿孔の壁が、チャンバー22の内壁の一部を形成しており、第二セラミック層18Aに、第三の金属層19がつながれて」構成されるものであって、「照明手段3は更に、光学的電磁線導体21を有し、電磁線導体21は、二つの末端21A,21Bを有し、第一末端21Aは、チャンバー22の境界の一部を形成し、電磁線導体21の第二末端21Bは、電磁線アウトプット面8の少なくとも一部を成し、電磁線導体21は、ガラス・エレメントとして形成されている」ことから、上記「第三の金属層19」には、「第一末端21A」及び「第二末端21B」を有する「電磁線導体21」が設けられていることが明らかである。
　また、上記「電磁線導体21」は、「ガラス・エレメントとして形成されて」おり、上記「第二末端21B」は、「電磁線アウトプット面8の少なくとも一部を成」すものであるから、上記「第三の金属層19」に設けられた「電磁線導体21」が、窓として機能することも技術的に明らかである。
　さらに、引用発明は、「第二セラミック層18Aに、第三の金属層19がつながれて」構成されるものであるから、上記「第三の金属層19」は、その配設構造等に照らして、金属キャップと位置づけ得るものである。
　したがって、引用発明の上記「第三の金属層19」と本願補正発明の「少なくとも１つの窓を有し且つ前記ベースに金属はんだではんだ付けされた少なくとも１つの金属キャップ」とは、「少なくとも１つの窓を有」する「少なくとも１つの金属キャップ」の点で共通するものといえる。
　以上によれば、本願補正発明と引用発明とは、
「気密封止されたＬＥＤ灯であって、
　セラミックからなるベースと、前記ベース上の少なくとも１つのＬＥＤと、少なくとも１つの窓を有する少なくとも１つの金属キャップと、を含む、
　気密封止されたＬＥＤ灯。」の点で一致し、以下の点で相違している。 
＜相違点１＞
「ＬＥＤ灯」について、本願補正発明は、「オートクレーブ可能な」構成であるのに対し、引用発明は、そのように特定されていない点。
＜相違点２＞
　本願補正発明は、金属キャップが、「ステンレス鋼から形成されている」とともに「前記ベースに金属はんだではんだ付けされた」ものであって、「前記金属はんだは、金錫はんだであ」るのに対し、引用発明は、金属キャップ（第三の金属層19）の金属素材について明らかでなく、「層18,19は、ハンダ付けにより、互いに固くつながれており、層18は、第一セラミック層18として構成され、層19は、第三の金属層19として構成され、第一セラミック層18には、その中にチャンバー22の少なくとも一部を形成している少なくとも一つの穿孔が形成されている第二セラミック層18Aがつながれており、穿孔の壁が、チャンバー22の内壁の一部を形成しており、第二セラミック層18Aに、第三の金属層19がつながれて」いる点。
（３）判断 
ア　相違点１について
（ア）引用文献１（摘示（１ａ））には、「
医療用の、特に歯科医療用の器具用の照明手段
滅菌器内での器具の洗浄など腐食性の高い環境条件や汚れから保護されている。
少なくとも一つの半導体エレメント、照明手段のボディ内の、特に好ましくは、密封状態のチャンバー内に配置されることが好ましい。
特に、該チャンバーは、それが、幾度にもわたって
滅菌行程に耐え、即ち、該行程において使用される
（イ）また、引用文献２（摘示（２ｂ））には、口腔および歯科用途に用いられる照明デバイスに関する技術について開示され（段落【０００２】）、具体的には「そのような
歯科用ライトに関連する
問題は、
滅菌である。
歯科用器具は、
非常に高い温度でオートクレーブ処理されることなどによって、滅菌される。
（ウ）してみると、滅菌行程に耐え得るように構成すべき引用発明の「歯科医療用の器具1における照明手段3」において、かかる技術分野の滅菌技術として技術常識ともいえるオートクレーブ処理することは、当然に想定されるものというべきであるから、引用発明の「照明手段3」をオートクレーブ可能なものとして構成することは、当業者にとって格別困難なことではない。
　したがって、上記相違点１に係る本願補正発明の構成は、引用発明及び上記技術常識に基いて当業者が容易になし得たものといえる。
イ　相違点２について
（ア）上記アで述べたとおり、滅菌行程に耐え得るように構成すべき引用発明の「歯科医療用の器具1における照明手段3」において、オートクレーブ処理することは当然に想定されるものというべきであるところ、引用文献２には、オートクレーブ処理に関する技術として、光デバイス10が、ハウジング12、および、ハウジング12に取り外し可能に結合される先端構造体14を含み、先端構造体14がオートクレーブ処理されること（段落【００１１】）、先端構造体14は、本体36を含み、本体36はオートクレーブ処理可能な材料から作られること（段落【００１４】）、及びオートクレーブ処理可能な本体36は、ステンレス鋼などの適切な材料から作られること（段落【００１５】）、が記載されているように、オートクレーブ処理可能な金属として、ステンレス鋼が適することも、当業者が技術常識として認識しているものといえるから、引用発明の「歯科医療用の器具1における照明手段3」において、「第三の金属層19」の金属素材としてステンレス鋼を採用する動機付けは十分存在する。
（イ）また、引用文献３（摘示（３ａ））には、発光素子や受光素子のような半導体素子を搭載する支持体およびそれを利用した、耐熱性、放熱性および信頼性に優れる半導体装置に関し（段落【０００１】）、セラミックスを材料とする絶縁性基板同士あるいは導電性の板材との接合材として、Ａｕ−Ｓｎの共晶半田を用いること（段落【００５６】）、及び、半導体素子あるいは半導体素子がフリップチップ実装されたサブマウントがＡｕ−Ｓｎの共晶半田により接着されること（段落【００５７】）が記載され、引用文献４（摘示（４ａ））には、挿入部の先端部に光学系を備える内視鏡に関し（段落【０００１】、【００２４】、【００３１】、【００３２】）、先端部カバー３２を構成するに際し、オートクレーブ耐性に優れた素材を採用すること（段落【００３９】）、及び、カバーレンズ２５、先端部本体３１及び先端部カバー３２の接続構造について、カバーレンズ２５は、枠部材５１を介して先端部カバー３２に取り付けられるものであって、カバーレンズ２５と枠部材５１とは、金錫半田を用いて、水密かつ気密となるように接合されていること（段落【００４２】、【００４３】、【００４６】）が記載されているように、耐熱性やオートクレーブ耐性が求められる構造体を構成する上での接合技術として、金錫はんだを用いることは、技術分野を問わず周知技術といえ、さらに、引用文献４（段落【００４６】）にも記載されているとおり、金錫はんだのような鉛を使用していない半田を用いることは、環境等に配慮した構成となっていることから、そのような半田を採用することの動機付けも十分存在する。
　してみると、オートクレーブ処理することが想定される引用発明の「歯科医療用の器具1における照明手段3」において、「第三の金属層19」の金属素材としてステンレス鋼を採用するとともに、「層18,19」を「ハンダ付けにより、互いに固くつながれ」たものとして構成するに際し、「第一セラミック層18」、「第二セラミック層18A」及び「第三の金属層19」を金錫はんだではんだ付けされたものとして構成すること、すなわち、上記相違点２に係る本願補正発明の構成とすることは、引用発明、技術常識、及び周知技術に基いて当業者が容易になし得たものといえる。
ウ　そして、本願補正発明の作用効果も、引用発明、技術常識、及び周知技術から当業者が予測し得る範囲のものであって、格別なものとはいえない。
エ　請求人の主張について
　請求人は、令和２年１０月３０日付けの審判請求書（「４．」の項）で、「また、本願発明では、今般の補正にて明らかにしたように、ＬＥＤ灯はオートクレーブ可能であり、金属キャップは、ステンレス鋼から形成されています。引例１〜４には当該特徴事項が記載も示唆もされていません。以上より、・・・請求項４・・・は、各引例に対して進歩性を有するものであると思料します。」と主張する。
　しかし、上記アで述べたとおり、滅菌行程に耐え得るように構成すべき引用発明の「歯科医療用の器具1における照明手段3」において、かかる技術分野における滅菌技術として技術常識ともいうべきオートクレーブ処理することは当然に想定されるものというべきであるし、上記イで述べたとおり、オートクレーブ処理可能な金属として、ステンレス鋼が適することも、当業者が技術常識として認識しているものといえるから、請求人の上記主張は採用できない。
（４）まとめ 
　以上のとおり、本願補正発明は、引用発明、技術常識、及び周知技術に基いて当業者が容易になし得たものであるから、特許出願の際独立して特許を受けることができるものではない。
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明 
　本件補正は上記のとおり却下されたので、本願の請求項４に係る発明は、令和２年４月７日付けの手続補正により補正された特許請求の範囲の請求項４に記載された事項により特定されるとおりのものと認められるところ、本願の請求項４に係る発明（以下「本願発明」という。）は、上記「第２　１（１）補正前の請求項４」に記載されたとおりのものである。
２　原査定の拒絶の理由
　原査定の拒絶の理由は、次の理由を含むものである。
　本願の請求項４に係る発明は、引用文献Ａに記載された発明及び周知技術（引用文献Ｂ）に基いて、その出願前にその発明の属する技術の分野における通常の知識を有する者が容易に発明をすることができたものであるから、特許法第２９条第２項の規定により特許を受けることができない。
　なお、上記引用文献Ａは、上記「第２　２　２−２　（１）」に示す引用文献１であり、引用文献Ｂは、同引用文献３である。
３　当審の判断
　本願発明は、上記「第２　１（１）補正前の請求項４」に示すとおりのものであり、実質的には、上記「第２　１（２）補正後の請求項４」に示す本願補正発明の発明を特定するために必要な事項である下線に示す「オートクレーブ可能な」及び「前記金属キャップは、ステンレス鋼から形成されている」との事項（以下「事項Ａ」という。）を削除したものである。
　そうすると、本願発明の発明特定事項を全て含み、さらに他の事項を付加したものに相当する本願補正発明が、上記「第２　２　２−２（３）（４）」で述べたとおり、当業者が容易になし得たものであるから、本願発明も同様の理由により（ただし、上記事項Ａに係る判断は除く）、当業者が容易に発明をすることができたものといえる。
第４　むすび 
　以上のとおり、本願発明は、引用発明及び上記周知技術に基いて当業者が容易になし得たものであって、特許法第２９条第２項の規定により特許を受けることができない。
　したがって、その余の請求項について検討するまでもなく、本願は拒絶すべきものである。
　よって、結論のとおり審決する。